(57)【要約】  【課題】  別部材を追加することなく被冷却物品からモータへの輻射熱を遮ることができるとともに、冷却用の気流を発生させるインペラを回動させるためのモータの冷却を行うことでき、それだけ、製造コストを低減することができる冷却ファン装置及びそれを用いたプロジェクタを提供する。  【解決手段】  空気流動部２５１はモータ２２と対向して配置されており、空気流動部２５１とモータ２２との間には空気が流れるための間隙２５０が形成されており、空気導入部２５２は空気流動部２５１と連結しており、インペラ２３の回動する領域に対向して配置されている。インペラ２３にて発生した気流の一部を空気導入部２５２で取り込んで間隙２５０に流入させモータ２２を冷却する。【選択図】      図３
2006133649.tif 000002
【特許請求の範囲】
【請求項１】
ランプホルダにて支持され白色光を照射する白色ランプと、前記白色ランプを冷却する
冷却ファン装置と、回転することで前記白色光をＲ／Ｇ／Ｂの波長の光に分光する円盤状
のカラーホイールと、前記液晶フィルタにて分光された光の光束密度を均一化するロッド
トンネルと、前記ロッドトンネルを出射する光の照射範囲を拡大するミラーと、前記レン
ズを透過した光を反射する反射板を備えたＤＭＤ（登録商標）と、光をスクリーンに投影
する投影レンズとを有しており、
前記冷却ファン装置はフレームと、前記フレームの中央に形成された貫通孔の中央に配
置されたモータと、前記貫通孔に配置され、前記モータにて該貫通孔内部を回動されるこ
とで冷却風を発生するインペラと、前記フレームを支持する支持部材を有しており、前記
支持部材を前記ランプホルダに接続することで、前記冷却ファン装置を前記白色ランプに
隣接して配置することができ、
前記支持部材は前記フレームが配置される部分には前記インペラにて発生する冷却風を
通すための貫通孔が設けられ、貫通孔の中央には前記支持部材に支持され、前記モータを
冷却する冷却部が備えられており、
前記冷却部は前記モータと前記白色ランプの間に、該モータと対向するとともに前記モ
ータとの間に空気が流動することができる間隙をあけて配置される空気流動部と、前記空
気流動部の一部と一体に連結し、且つ、前記貫通孔の前記インペラの回動領域の一部と対
向する空気導入部とが形成されており、
前記空気導入部は一部又は全部が前記空気流動部に対してインペラ側に傾いて形成され
ており、前記インペラ側の面より突出し前記インペラの半径方向に延びる気流整流部を備
えていることを特徴とするプロジェクタ。
【請求項２】
ホルダにて支持された光源と、前記光源を冷却する冷却ファン装置と、光をスクリーン
に投影する投影レンズとを有しており、
前記冷却ファン装置はフレームと、前記フレームの中央に形成された貫通孔の中央に配
置されたモータと、前記貫通孔に配置され、前記モータにて該貫通孔内部を回動されるこ
とで冷却風を発生するインペラと、前記フレームを支持する支持部材を有しており、前記
支持部材を前記ホルダに接続することで、前記冷却ファン装置を前記光源に隣接して配置
することができ、
前記支持部材は前記フレームが配置される部分には前記インペラにて発生する冷却風を
通すための貫通孔が設けられ、貫通孔の中央には前記支持部材に支持され、前記モータを
冷却する冷却部が備えられており、
前記冷却部は前記モータと前記光源の間に、該モータと対向するとともに前記モータと
の間に空気が流動することができる間隙をあけて配置される空気流動部と、前記空気流動
部の一部と一体に連結し、且つ、前記貫通孔の前記インペラの回動領域の一部と対向する
空気導入部とが形成されていることを特徴とするプロジェクタ。
【請求項３】
前記空気導入部は一部又は全部が前記インペラ側に傾いて形成されていることを特徴と
する請求項２に記載のプロジェクタ。
【請求項４】
前記空気導入部は前記インペラ側の面より突出し前記インペラの半径方向に延びる気流
整流部を備えていることを特徴とする請求項２に記載のプロジェクタ。
【請求項５】
中央に貫通孔を備えたフレームと、
前記フレームの貫通孔の中央に配置されたモータと、
前記貫通孔に配置され、前記モータにて該貫通孔内部を回動されることで冷却風を発生
するインペラと、
前記フレームを支持する支持部材とを有しており、
前記支持部材は前記フレームが配置される部分には前記インペラにて発生する冷却風を
通すための貫通孔が設けられ、貫通孔の中央には前記支持部材に支持され、前記モータを
冷却する冷却部が備えられており、
前記冷却部は前記モータと前記被冷却物品の間に、該モータと対向するとともに前記モ
ータとの間に空気が流動することができる間隙をあけて配置される空気流動部と、前記空
気流動部の一部と一体に連結し、且つ、前記貫通孔の前記インペラの回動領域の一部と対
向する空気導入部とが形成されており、
前記空気導入部は一部又は全部が前記空気流動部に対してインペラ側に傾いて形成され
ており、前記インペラ側の面より突出し前記インペラの半径方向に延びる気流整流部を備
えていることを特徴とする冷却ファン装置。
【請求項６】
前記冷却ファン装置はフレームと、
前記フレームの中央に形成された貫通孔の中央に配置されたモータと、
前記貫通孔に配置され、前記モータにて該貫通孔内部を回動されることで冷却風を発生
するインペラと、
前記フレームを支持する支持部材とを有しており、
前記支持部材は前記フレームが配置される部分には前記インペラにて発生する冷却風を
通すための貫通孔が設けられ、貫通孔の中央には前記支持部材に支持され、前記モータを
冷却する冷却部が備えられており、
前記冷却部は前記モータと前記被冷却物品の間に、該モータと対向するとともに前記モ
ータとの間に空気が流動することができる間隙をあけて配置される空気流動部と、前記空
気流動部の一部と一体に連結し、且つ、前記貫通孔の前記インペラの回動領域の一部と対
向する空気導入部とが形成されていることを特徴とする冷却ファン装置。
【請求項７】
前記空気導入部は一部又は全部が前記インペラ側に傾いて形成されていることを特徴と
する請求項６に記載の冷却ファン装置。
【請求項８】
前記空気導入部は前記インペラ側の面より突出し前記インペラの半径方向に延びる気流
整流部を備えていることを特徴とする請求項６に記載の冷却ファン装置。
【発明の詳細な説明】
【技術分野】
【０００１】
本発明は、光源より照射される光を分光し照射することで投影するプロジェクタの光源
を冷却するファンに関するものであり、ファンを駆動するためのモータの冷却に関するも
のである。
【背景技術】
【０００２】
近年、ＤＬＰ（Digital Light Processing）（登録商標）技術を利用したプロジェクタ
が多数製造されている。前記ＤＬＰ（登録商標）技術を利用したプロジェクタは半導体素
子に多数の反射板を配置したＤＭＤ（Digital Mirror Device）（登録商標）に光を照射
し、その反射板による反射光をレンズで拡大しスクリーンに投影するものである。
【０００３】
図５に従来のプロジェクタの概略配置図を示す。図５に示すプロジェクタＢは、光源で
ある白色ランプ９１と、光をＲＧＢの各成分の波長に順次偏光するカラーホイール９２と
、カラーホイール９２を透過した光の軸方向の光束密度を均一化する光学トンネル９３と
、光学トンネル９３より出射した光を反射しつつ照射範囲を拡大するミラー９４と、ミラ
ー９４で反射され、照射範囲が拡大された光を反射するＤＭＤ（登録商標）９５と、投影
レンズ９６とを有している。投影レンズ９６から出射した光をスクリーンＳｃに照射する
ことで、スクリーンＳｃ上に映像を投影することができる。
【０００４】
プロジェクタＢがスクリーンＳｃ上に映像を投射している間、白色ランプ９１は光を照
射し続ける。プロジェクタＢではスクリーンＳｃ上に鮮やかな画像を投影するために光源
である白色ランプ９１から照射される光の強度は強く、白色ランプ９１は高温になる。白
色ランプ９１はランプホルダ９１１に着脱可能に取り付けられている。白色ランプ９１は
高温状態で動作させ続けると寿命が短くなるので、冷却用のファン９７が取り付けられて
いる。冷却ファン装置９７は冷えた空気を白色ランプ９１に送り、白色ランプ９１を冷却
している。
【０００５】
図６に従来の冷却ファン装置の斜視図を示す。図６に示す冷却ファン装置９７はフレー
ム９７０と、モータ９７１と、モータ９７１にて回動されるインペラ９７２と、フレーム
９７０を支持し白色ランプ９１を支持するランプホルダ９１１に固定される支持部材９７
３とを有している。モータ９７１は動作することでそれ自体加熱するとともに、白色ラン
プ９１よりの輻射熱によってさらに加熱される。モータ９７１も高温状態で運転すること
で寿命が短くなったり、動作が不安定になったり等の不具合が発生する。そこで、モータ
９７１と白色ランプ９１の間に金属製の冷却部材９７４を配置している。冷却部材９７４
は支持部材９７３に固定されている。冷却部材９７４を取り付けることで熱の輻射を低減
することができる。
【特許文献１】特開平8−321571号公報
【特許文献２】特開2002−335647号公報
【発明の開示】
【発明が解決しようとする課題】
【０００６】
しかしながら、上記構成の冷却ファン装置９７を用いるときには、金属製の冷却部材９
７４を製造、取り付けをしなくてはならず、冷却ファン装置９７の構成部材が多くなる。
構成部材が多くなると製造コストが高くなるとともに、組み立てに手間がかかり、時間が
かかる。また、金属製の冷却部材９７４を白色ランプ９１とモータ９７１の間に配置した
だけであり、白色ランプ９１からの輻射熱による加熱は低減することができるが、モータ
９７１の駆動によるモータ９７１自体の加熱を低減することはできない。
【０００７】
そこで本発明は、別部材を追加することなく被冷却物品からモータへの輻射熱を遮るこ
とができるとともに、冷却用の気流を発生させるインペラを回動させるためのモータの冷
却を行うことでき、それだけ、製造コストを低減することができる冷却ファン装置及びそ
れを用いたプロジェクタを提供することを目的とする。
【０００８】
また本発明は、別部材を追加することなく被冷却物品からモータへの輻射熱を遮ること
ができるとともに、モータを冷却することができ、それだけ、モータ性能を十分に引き出
すことができるとともに、該モータの寿命を長くすることができるので、装置の冷却能力
を上げることができ、装置全体の寿命を長くすることができる冷却ファン装置及びそれを
用いたプロジェクタを提供することを目的とする。
【課題を解決するための手段】
【０００９】
上記目的を達成するために本発明は、ランプホルダにて支持され白色光を照射する白色
ランプと、前記白色ランプを冷却する冷却ファン装置と、回転することで前記白色光をＲ
／Ｇ／Ｂの波長の光に分光する円盤状のカラーホイールと、前記液晶フィルタにて分光さ
れた光の光束密度を均一化するロッドトンネルと、前記ロッドトンネルを出射する光の照
射範囲を拡大するミラーと、前記レンズを透過した光を反射する反射板を備えたＤＭＤ（
登録商標）と、光をスクリーンに投影する投影レンズとを有しており、前記冷却ファン装
置はフレームと、前記フレームの中央に形成された貫通孔の中央に配置されたモータと、
前記貫通孔に配置され、前記モータにて該貫通孔内部を回動されることで冷却風を発生す
るインペラと、前記フレームを支持する支持部材を有しており、前記支持部材を前記ラン
プホルダに接続することで、前記冷却ファン装置を前記白色ランプに隣接して配置するこ
とができ、前記支持部材は前記フレームが配置される部分には前記インペラにて発生する
冷却風を通すための貫通孔が設けられ、貫通孔の中央には前記支持部材に支持され、前記
モータを冷却する冷却部が備えられており、前記冷却部は前記モータと前記白色ランプの
間に、該モータと対向するとともに前記モータとの間に空気が流動することができる間隙
をあけて配置される空気流動部と、前記空気流動部の一部と一体に連結し、且つ、前記貫
通孔の前記インペラの回動領域の一部と対向する空気導入部とが形成されており、前記空
気導入部は一部又は全部が前記空気流動部に対してインペラ側に傾いて形成されており、
前記インペラ側の面より突出し前記インペラの半径方向に延びる気流整流部を備えている
ことを特徴とするプロジェクタを提供する。
【００１０】
この構成によると、前記プロジェクタの発熱源の１つである白色ランプよりの輻射熱を
冷却部で遮るとともに、前記インペラにて発生する気流の一部を前記空気導入部にて取り
込んで、前記空気流動部と前記モータの間隙に送るので、モータが気流によって冷やされ
る。
【００１１】
前記モータが冷却されることで、前記モータは冷却されつつ運転するので、熱による能
力低下が発生しにくく該モータは高い能力を発揮することができ、それだけ、冷却ファン
装置の冷却能力を高めることができる。また、冷却されることにより、前記モータの負荷
を低減することができるので、前記プロジェクタの不具合の発生を防ぐことができる。
【００１２】
支持部材及び冷却部は樹脂等の一体成形部材を例示することができる。一体成形部材は
製造が簡単であり、また、別途部材を製造したり、組み立てたりしなくても良いので、製
造及び取り付けの手間を低減することができ、それだけ、前記プロジェクタの製造の手間
、時間を短縮することが可能である。また、樹脂に限定されるものではない。
【００１３】
また、前記空気導入部に気流整流部を備えているので、前記インペラにて発生した気流
を効果的に前記モータと前記空気流動部の間隙に送ることができるので、モータを効率よ
く冷却することが可能である。
【００１４】
また、上記目的を達成するために本発明は、ホルダにて支持された光源と、前記光源を
冷却する冷却ファン装置と、光をスクリーンに投影する投影レンズとを有しており、
前記冷却ファン装置はフレームと、前記フレームの中央に形成された貫通孔の中央に配
置されたモータと、前記貫通孔に配置され、前記モータにて該貫通孔内部を回動されるこ
とで冷却風を発生するインペラと、前記フレームを支持する支持部材を有しており、前記
支持部材を前記ホルダに接続することで、前記冷却ファン装置を前記光源に隣接して配置
することができ、前記支持部材は前記フレームが配置される部分には前記インペラにて発
生する冷却風を通すための貫通孔が設けられ、貫通孔の中央には前記支持部材に支持され
、前記モータを冷却する冷却部が備えられており、前記冷却部は前記モータと前記光源の
間に、該モータと対向するとともに前記モータとの間に空気が流動することができる間隙
をあけて配置される空気流動部と、前記空気流動部の一部と一体に連結し、且つ、前記貫
通孔の前記インペラの回動領域の一部と対向する空気導入部とが形成されていることを特
徴とするプロジェクタを提供する。
【００１５】
前記冷却部を備えることで前記モータに前記インペラにて発生された気流の一部を該モ
ータと前記空気流動部の間隙に導入することができる。その気流にて、前記モータを冷却
することができるので、該モータを効果的に冷却することができ、それだけ、前記プロジ
ェクタの不具合が発生しにくい。
【００１６】
前記プロジェクタは、光源の光を分光及び（又は）合成して結像し、スクリーンに投影
することができる投影型の画像形成装置を広くさすものである。
【００１７】
上記構成において、空気導入部は一部又は全部が前記インペラ側に傾いて形成されてい
てもよい。さらには、前記インペラ側の面より突出し前記インペラの半径方向に延びる気
流整流部を備えていてもよい。このように、空気導入部の一部又は全部が傾いていること
で、前記インペラにて発生した気流の一部を、効果的に前記モータと前記空気流動部の間
隙に流入させることができる。
【００１８】
このとき、前記気流整流部を前記空気導入部の端部に配置するものを例示することがで
きる。端部に配置することで、気流をより確実に前記モータと前記空気流動部の間隙に流
入させることができ、冷却能力を高くすることができる。
【００１９】
前記支持部材として、樹脂の一体成形部材を例示することができる。一体成形部材であ
る場合、部材の成形工程を大幅に短縮することができ、それだけ、プロジェクタの製造工
程、時間、コストを低減することができる。また、樹脂に限定されるものではなく、成形
可能な材料を広く採用することができる。
【００２０】
さらに、上記目的を達成するために本発明は、中央に貫通孔を備えたフレームと、前記
フレームの貫通孔の中央に配置されたモータと、前記貫通孔に配置され、前記モータにて
該貫通孔内部を回動されることで冷却風を発生するインペラと、前記フレームを支持する
支持部材とを有しており、前記支持部材は前記フレームが配置される部分には前記インペ
ラにて発生する冷却風を通すための貫通孔が設けられ、貫通孔の中央には前記支持部材に
支持され、前記モータを冷却する冷却部が備えられており、前記冷却部は前記モータと前
記被冷却物品の間に、該モータと対向するとともに前記モータとの間に空気が流動するこ
とができる間隙をあけて配置される空気流動部と、前記空気流動部の一部と一体に連結し
、且つ、前記貫通孔の前記インペラの回動領域の一部と対向する空気導入部とが形成され
ており、前記空気導入部は一部又は全部が前記空気流動部に対してインペラ側に傾いて形
成されており、前記インペラ側の面より突出し前記インペラの半径方向に延びる気流整流
部を備えていることを特徴とする冷却ファン装置を提供する。
【００２１】
この構成によると、前記プロジェクタの発熱源の１つである白色ランプよりの輻射熱を
冷却部で遮るとともに、前記インペラにて発生する気流の一部を前記空気導入部にて取り
込んで、前記空気流動部と前記モータの間隙に送るので、モータが気流によって冷やされ
る。
【００２２】
前記モータが冷却されることで、前記モータは冷却されつつ運転するので、熱による能
力低下が発生しにくく該モータは高い能力を発揮することができ、それだけ、冷却ファン
装置の冷却能力を高めることができる。また、冷却されることにより、前記モータの負荷
を低減することができるので、前記冷却ファン装置の不具合の発生を防ぐことができる。
【００２３】
前記支持部材及び前期冷却部として例えば、樹脂等の一体成形部材を上げることができ
る。一体成形部材は製造が簡単であり、また、別途部材を製造したり、組み立てたりしな
くても良いので、製造及び取り付けの手間を低減することができ、それだけ、前記冷却フ
ァン装置の製造の手間、時間を短縮することが可能である。また、樹脂に限定されるもの
ではない。
【００２４】
また、前記空気導入部に気流整流部を備えているので、前記インペラにて発生した気流
を効果的に前記モータと前記空気流動部の間隙に送ることができるので、モータを効率よ
く冷却することが可能である。
【００２５】
また、上記目的を達成するために本発明は、前記冷却ファン装置はフレームと、前記フ
レームの中央に形成された貫通孔の中央に配置されたモータと、前記貫通孔に配置され、
前記モータにて該貫通孔内部を回動されることで冷却風を発生するインペラと、前記フレ
ームを支持する支持部材とを有しており、前記支持部材は前記フレームが配置される部分
には前記インペラにて発生する冷却風を通すための貫通孔が設けられ、貫通孔の中央には
前記支持部材に支持され、前記モータを冷却する冷却部が備えられており、前記冷却部は
前記モータと前記被冷却物品の間に、該モータと対向するとともに前記モータとの間に空
気が流動することができる間隙をあけて配置される空気流動部と、前記空気流動部の一部
と一体に連結し、且つ、前記貫通孔の前記インペラの回動領域の一部と対向する空気導入
部とが形成されていることを特徴とする冷却ファン装置を提供する。
【００２６】
前記冷却部を備えることで前記モータに前記インペラにて発生された気流の一部を該モ
ータと前記空気流動部の間隙に導入することができる。その気流にて、前記モータを冷却
することができるので、該モータを効果的に冷却することができ、それだけ、前記冷却フ
ァン装置の不具合が発生しにくい。
【００２７】
上記構成において、空気導入部は一部又は全部が前記インペラ側に傾いて形成されてい
てもよい。さらには、前記インペラ側の面より突出し前記インペラの半径方向に延びる気
流整流部を備えていてもよい。このように、空気導入部の一部又は全部が傾いていること
で、前記インペラにて発生した気流の一部を、効果的に前記モータと前記空気流動部の間
隙に流入させることができる。
【００２８】
このとき、前記気流整流部を前記空気導入部の端部に配置するものを例示することがで
きる。端部に配置することで、気流をより確実に前記モータと前記空気流動部の間隙に流
入させることができ、冷却能力を高くすることができる。
【００２９】
前記支持部材として、樹脂の一体成形部材を例示することができる。一体成形部材であ
る場合、部材の成形工程を大幅に短縮することができ、それだけ、前記冷却ファン装置の
製造工程、時間、コストを低減することができる。また、樹脂に限定されるものではなく
、成形可能な材料を広く採用することができる。
【発明の効果】
【００３０】
本発明によると、別部材を追加することなく被冷却物品からモータへの輻射熱を遮るこ
とができるとともに、冷却用の気流を発生させるインペラを回動させるためのモータの冷
却を行うことでき、それだけ、製造コストを低減することができる冷却ファン装置及びそ
れを用いたプロジェクタを提供することができる。
【００３１】
また本発明によると、別部材を追加することなく被冷却物品からもターへの輻射熱を遮
ることができるとともに、モータを冷却することができ、それだけ、モータ性能を十分に
引き出すことができるとともに、該モータの寿命を長くすることができるので、装置の冷
却能力を上げることができ、装置全体の寿命を長くすることができる冷却ファン装置及び
それを用いたプロジェクタを提供することができる。
【発明を実施するための最良の形態】
【００３２】
以下に本発明の実施形態を図面を参照して説明する。図１に本発明にかかる冷却ファン
装置を利用したプロジェクタの一例の概略配置図を示す。図１に示すプロジェクタＡは、
光源である白色ランプ１と、白色ランプ１を冷却する冷却ファン装置２と、光をＲＧＢの
各成分の波長に順次偏光するカラーホイール３と、光源より出射された光の光束密度を均
一化するロッドトンネル４と、ロッドトンネル４を通過してきた光の照射範囲を拡大する
ミラー５と、光を反射するＤＭＤ（登録商標）６と、投影レンズ７とを有している。白色
ランプ１はランプホルダ１１に着脱可能に取り付けられている。光源としてここでは白色
ランプを採用しているが、白色ランプ以外にもＲＧＢ全ての波長の光を有する光を出射す
る光源を広く採用することができる。
【００３３】
プロジェクタＡの動作は次のとおりである。光は白色ランプ１よりカラーホイール３に
照射される。カラーホイール３は高速且つ等速で回転しており、カラーホイール３に照射
された光はＲ／Ｇ／Ｂの各領域のいずれかを通過する。このとき、Ｒ領域を透過した光は
赤色の波長の光に偏光され、Ｇ領域を透過した光は緑色の波長の光に偏光され、Ｂ領域を
透過した光は青色の波長の光に偏光される。これらの各色波長の光は連続してロッドトン
ネル４に入射する。
【００３４】
ＤＭＤ（登録商標）６は照射される光を所定の方向に反射するものであり、ロッドトン
ネル４を通過し、ミラー５にて照射範囲が拡大された赤、緑、青の各波長の光のうち必要
なものを投影レンズ７に反射する。投影レンズ７に入射した光は拡大されスクリーンＳｃ
に照射、表示される。カラーホイール３は高速回転しており、ＤＭＤ（登録商標）６で選
択的に反射されたＲＧＢの各波長の光が順次スクリーンに照射されても、人間の目は反射
量に対応するＲＧＢの合成した色として認識する。
【００３５】
白色ランプ１は光を照射している間は高温に達しており、冷却ファン装置２を駆動する
ことで、プロジェクタＡの外部より取り込まれる低温の空気を吹き付けることで冷却して
いる。冷却することで、白色ランプ１が安定して光を照射することができるとともに、白
色ランプ１の寿命を延ばすことができる。
【００３６】
図２に本発明にかかる冷却ファン装置の一例の斜視図を、図３に図２に示す冷却ファン
装置の水平断面図を示す。図２に示す冷却ファン装置２は、フレーム２１と、モータ２２
と、インペラ２３と、支持部材２４とを有している。フレーム２１は中央部に貫通孔２１
１が形成されており、貫通孔２１１の中央にはモータ２２が配置され、フレーム２１に支
持されている。
【００３７】
モータ２２にはインペラ２３が取り付けられており、モータ２２が駆動することでイン
ペラ２３も回動する。インペラ２３はモータ２２周りを回動することでモータ２２の軸方
向（図中矢線ａｒ１方向）に気流を発生することができる形状を有している。モータ２２
が貫通孔２１１の中央に配置されているとき、インペラ２３は貫通孔２１１にフレーム２
１と接触しないように配置されるとともに、回動するときもフレーム２１と接触しないよ
うに配置されている。
【００３８】
フレーム２１はモータ２２及びインペラ２３を取り付けた状態で、支持部材２４に取り
付ける。このとき、フレーム２１と支持部材２４の間にはスペーサ２６が取り付けられて
いる。取り付けはそれには限定されないが、ここでは、図示を省略したボルト、ナットで
螺合するものを例示できる。また、フレーム２１を支持部材２４に固定することができる
ものを広く採用することができる。モータ２２、インペラ２３をフレーム２１に取り付け
た後、フレーム２１を支持部材２４に取り付け、支持部材をランプホルダ１１に取り付け
ることで冷却ファン装置２を設置することができる。
【００３９】
支持部材２４のフレーム２１が配置される部分には、貫通孔２４１が形成されており、
インペラ２３が回動することで発生する気流が通過することができるようになっている。
また、貫通孔２４１のインペラ２３にて発生される気流の下流側の中央部には冷却部２５
が形成されている。冷却部２５は空気流動部２５１と、空気導入部２５２が形成されてい
る。
【００４０】
空気流動部２５１はモータ２２と対向して配置されるものである。空気導入部２５２は
空気流動部２５１と連結しており、インペラ２３の回動する領域に対向して配置されてい
る。図３に示すように空気流動部２５１とモータ２２との間には空気が流れるための間隙
２５０が形成されている。
【００４１】
インペラ２３が回動し気流が発生すると、支持部材２４の貫通孔２４１を通過して図示
を省略した被冷却物品へ気流を供給する。このとき、貫通孔２４１を通過する気流のうち
空気導入部２５２に当たった気流はそのまま、空気導入部２５２に沿って流れ、空気流動
部２５１とモータ２２の間に形成された間隙２５０を通過する（図中矢線ａｒ２）。空気
導入部２５２にて取り込まれた気流が間隙２５０を通過するときに、モータ２２と接触し
モータ２２の熱を奪うことで、モータ２２の冷却を行うことができる。
【００４２】
図３に示す空気導入部２５２は先端が、インペラ２３方向に屈曲している。このように
空気導入部２５２が屈曲していることで、インペラ２３にて発生した気流が空気導入部２
５２に当たると、空気導入部２５２に沿って流れるので、気流の多くを空気流動部２５１
とモータ２２との間隙２５０に送ることができるので、より高い冷却効果を期待すること
ができる。
【００４３】
図４に図２に示す冷却ファン装置の空気導入部の拡大断面図を示す。図４に示すように
空気導入部２５２は、インペラ２３側の面に気流整流部２５３を有している。気流整流部
２５３は空気導入部２５２より突出しており、インペラ２３の半径方向に延びる形状を有
している。気流整流部２５３が形成されていることで、空気導入部２５２に沿って流れる
空気を効果的に空気流動部２５１とモータ２１との間隙２５０に流入させることができる
ので、モータ２２を高率よく冷却することが可能である。
【００４４】
上記実施例において、空気導入部２５２が屈曲したものを例に説明しているが、屈曲し
ていなくても良い。空気導入部が屈曲していない場合、空気流動部２５１とモータ２２の
間隙２５０への空気の流入量は減少するが、インペラ２３との接触を考慮しなくてもよく
加工しやすい。このとき、気流整流部２５３が空気導入部２５２の端部に形成されている
と、端部より空気が流出することがなく、効率よく気流を間隙２５０へ送ることができる
のでモータを効果的に冷却することができる。
【００４５】
上記実施例では空気導入部２５２に気流整流部２５３を備えたものを例に説明している
が、それに限定されるものではなく、気流整流部２５３を備えていなくてもよい。また、
気流整流部２５３を空気流動部２５１に備えていてもよい。空気流動部２５１に気流整流
部２５３を備えることで、空気導入部２５２より流入してきた空気を効率よくモータ２２
に吹き付けることができるので、モータ２２を効率よく冷却することが可能である。
【００４６】
上記実施例では、冷却ファン装置で冷却する被冷却物品として、ＤＬＰ（登録商標）方
式のプロジェクタに用いられる白色ランプを例に説明しているが、それに限定されるもの
ではなく、該被冷却物品としては光源からの光を分光、合成等することで結像し、スクリ
ーンに投影する投影型の画像形成装置の光源を広く採用することができる。また、光源に
限定されるものでもなく、被冷却物品として、空気を吹き付けて冷却する物品を広く採用
することができる。
【図面の簡単な説明】
【００４７】
【図１】本発明にかかる冷却ファン装置を利用したプロジェクタの概略配置図である。
【図２】本発明にかかる冷却ファン装置の斜視図である。
【図３】図２に示す冷却ファン装置の水平断面図である。
【図４】図２に示す冷却ファン装置の垂直断面図である。
【図５】従来のプロジェクタの概略配置図である。
【図６】従来の冷却ファンの斜視図である。
【符号の説明】
【００４８】
１  白色ランプ
１１  ランプホルダ
２  冷却ファン装置
２１  フレーム
２２  モータ
２３  インペラ
２４  支持部材
２５  冷却部
２５１  空気導入部
２５２  空気流動部
２５３  気流整流部
２６  スペーサ
３  カラーホイール
４  ロッドトンネル
５  ミラー
６  ＤＭＤ（登録商標）
７  投影レンズ
【図１】
2006133649.tif 000003
【図２】
2006133649.tif 000004
【図３】
2006133649.tif 000005
【図４】
2006133649.tif 000006
【図５】
2006133649.tif 000007
【図６】
2006133649.tif 000008